(57)【要約】【課題】重機の自走で所定位置にセットし、切り離した樹木を根廻りの土塊とともにそのまま移送できる樹木移植装置を提供する【解決手段】ベースアームの軸方向に可動アームをテレスコピックに係合した左右一対の伸縮アームを有し、ベースアームに重機への取付部を設ける。伸縮アームのベースアームにアウトリガーをとりつける。前記左右伸縮アームの可動アーム先端部間に動力切断機構を着脱可能に架設する。伸縮アームの可動アーム先端部間又は前記切断機構に橇部材を着脱可能に連結する。重機側部フレームへの取付部材とベースアームの間に横巾拡張のスペーサを介装してもよい。動力切断機構の一端をヒンジで連結する。橇部材を着脱可能の複数の橇ユニットで構成する。【選択図】    図１
2004187507.tif 000002
【特許請求の範囲】
【請求項１】
自走式重機の左右側部フレームへの取付部を設けたベースアームを有し、このベースアームの軸方向に一本又は複数本の可動アームをテレスコピックに係合し、動力駆動装置により前記可動アームを往復スライドさせるように組み付けた左右一対の伸縮アームと：
伸縮アームの各々のベースアームに取付けられ、駆動装置により上下に伸縮する支持脚を備えた一つ以上のアウトリガーと：
自走式重機の側部に取付けられた前記左右伸縮アームの可動アーム先端部間に着脱可能に架設される動力切断機構と：
自走式重機の側部フレームに取付けられた伸縮アームの前記可動アーム先端部間又は前記切断機構に着脱可能に連結される橇部材と：
を具備することを特徴とする樹木移植装置
【請求項２】
重機側部フレームへの取付部材とベースアームの間に介装され、左右伸縮アーム間の横巾を拡張するスペーサを具備することをさらに特徴とする請求項１記載の樹木移植装置
【請求項３】
動力切断機構が、前記左右伸縮アームの可動アーム先端部間を結合する支持フレームの軸方向廻りに動力チェーンソーを回動又は往復移動可能に取付け、前記支持フレームの一端側ブラケットを、一方の可動アームの先端ブラケットに回動可能にヒンジ結合した構成になることを特徴とする請求項１又は２記載の樹木移植装置
【請求項４】
橇部材が、長手方向側面を着脱可能に連結して一体の橇を形成する複数の橇ユニットからなることを特徴とする請求項１、２又は３記載の樹木移植装置
【発明の詳細な説明】
【００１】
【発明の属する技術分野】
本発明は、樹木の移植装置に関し、詳細には、周囲を掘り割った樹木の根廻りの土塊を立木ごと切り離して移送する移植装置に関する。
【００２】
【発明の技術的背景】
本発明の発明者は先に、新規な樹木移植装置の開発に係わり、特願２００１−３８９３５８として特許出願をしている。
【００３】
【発明が解決しようとする課題】
この移植装置１は、図７、図８に示すように、樹木２３の周囲を掘り割った後、左右両側から伸縮アーム３、３を差し入れ、伸縮アームの先端開放側に架設した切断機構５で樹木根廻りの土塊２４を樹木ごと切り離すとともに、土塊の下面に橇部材６を引き入れて移送するものである。
この移植装置は樹木根廻りの土塊２４を切り離した後は移植装置１を取外し、橇部材６を別途他の搬送手段に連結して移送しなければならず、作業能率が悪いという難点があった。また、装置を地面に接触させて出し入れするため損傷し易く、さらには、移送の際に土塊が地割れして、空気接触により細菌が混入するおそれがあった。
【００４】
従って、本発明の目的は、ブルドーザ等の重機の左右側部フレームに移植装置を直結して自走式に搬送することができ、これにより、重機の自走で所定の位置にセットし、切断後は切り離した樹木を移植装置とともにそのまま移植場所に移送することができる樹木移植装置を提供することにある。
【００５】
【課題を解決するための手段】
上記の目的を達成するために、本発明の移植装置は、自走式重機の左右側部フレームへの取付部を設けたベースアームを有し、このベースアームの軸方向に一本又は複数本の可動アームをテレスコピックに係合し、動力駆動装置により前記可動アームを往復スライドさせるように組み付けた左右一対の伸縮アームと：
伸縮アームの各々のベースアームに取付けられ、駆動装置により上下に伸縮する支持脚を備えた一つ以上のアウトリガーと：自走式重機の側部に取付けられた前記左右伸縮アームの可動アーム先端部間に着脱可能に架設される動力切断機構と：
自走式重機の側部フレームに取付けられた伸縮アームの前記可動アーム先端部間又は前記切断機構に着脱可能に連結される橇部材と：を具備することを特徴とする。
【００６】
前記伸縮アームは、重機側部フレームへの取付部材とベースアームの間にスペーサを介装し、左右伸縮アーム間の横巾を拡張する用にしてもよい。
【００７】
好ましくは、前記動力切断機構は、前記左右伸縮アームの可動アーム先端部間を結合する支持フレームの軸方向廻りに動力チェーンソーを回動又は往復移動可能に取付け、前記支持フレームの一端側ブラケットを、一方の可動アームの先端ブラケットに回動可能にヒンジ結合する。
【００８】橇部材は、好ましくは、長手方向側面を着脱可能に連結して一体の橇を形成する複数の橇ユニットで構成する。
【００９】
【発明の実施の形態】
以下、本発明の実施例を添付図面に基づいて説明する。
本発明の樹木移植装置１は、ブルドーザ、パワーショベル等の自走式重機２の左右側部フレーム２ａ、２ｂに取付けられる左右一対の伸縮アーム３、３と、この伸縮アーム３、３に取付けて凹凸地面に安定支持する複数個のアウトリガー４と、左右伸縮アーム３、３の先端部間に着脱自在に架設される動力切断機構５と、左右伸縮アーム３、３の先端部間に着脱可能に連結され、切り離した樹木根廻りの土塊下側に引き込まれる橇部材６を具備している。
【０１０】
図１乃至図３に示すように、左右一対の伸縮アーム３、３は、重機２の左右側部フレーム２ａ又は２ｂに結合される取付部材７を設けたベースアーム８の軸方向に一本又は複数の可動アーム９をスライド可能に係合し、油圧シリンダ１０等の動力駆動装置により可動アーム９をベースアーム８の前方へ往復スライドさせるようになっている。
【０１１】
図の実施例の取付部材７は、、内側に重機側部フレームへの結合ブラケット１１を一体に有し、外側をベースアーム８にボルト等で結合されている。
【０１２】
図の実施例の伸縮アーム３は、ベースアーム８内に一本の可動アーム９をテレスコピックに嵌合し、ベースアーム８の基部と可動アーム９間に架設した油圧シリンダ１０で可動アーム９を往復スライドさせて伸縮するもので、伸縮アーム３の実線部材はベースアーム８を示し、破線部材は可動アーム９を示している。
【０１３】
一対の伸縮アーム３、３は、取付部材７をベースアーム８に直結した場合は、その横巾間隔が重機２の横巾で規制されるが、取付部材７とベースアーム８の間にスペーサ（図は省略）を介装して結合することにより、左右伸縮アーム３、３の横巾間隔を適宜に拡張させることができる。
【０１４】
伸縮アーム３のベースアーム８には適宜位置（図では前後２ヶ所）にアウトリガー４が垂直に取付けられている。このアウトリガー４は図３に示すように、ベースアーム８に固定された支持枠１３内に油圧シリンダ１４によって上下に伸縮する支持脚１５を配設し、支持脚１５の高さ調節で地面の凹凸に対して伸縮アーム３を水平に支持するようになっている。
【０１５】
左右の伸縮アーム３、３の可動アーム９、９の先端間に架設される前記切断機構５は、図１及び図２に示すように、伸縮アーム３、３の可動アーム９、９間に着脱自在に取付けられる支持フレーム１６を有し、この支持フレーム１６の両端側に設けたスプール１７、１７にチェーンソー１８を張設するとともに、支持フレーム１６の一端側に、前記スプール１７を回転作動させる油圧モータ１９などの回転駆動装置を設けた構成になり、チェーンソー１８の回動又は往復運動と、左右一対の可動アーム９、９の引き込みにより樹木根廻りの土塊下側を横方向に切断するようになっている。
【０１６】
この切断機構５は、伸縮アーム３、３の可動アーム９、９の先端間に取付け、取外しができるようにする必要があるが、図の実施例では、図５、図６に示すように、一方の可動アーム９の先端にヒンジブラケット２０を固定するとともに、切断機構５の支持フレーム１６の一端にヒンジブラケット２１を固設し、このヒンジブラケット２０、２１をヒンジピン２２で結合することにより、切断機構５の一端がヒンジピン２２を支点にして回動し、これにより、可動アーム９、９間に着脱される構造になっている。
【０１７】
図１、図２及び図３に示すように、移植装置１は、可動アーム９、９先端間に取付けた切断機構５に着脱自在に連結される橇部材６を備えており、この橇部材６は、切断機構５の支持フレーム１６の先端ブラケット１２に着脱可能に取付けられるベース部材６ａと所定巾の複数の橇ユニット６ｂからなり、ベース部材６ａに橇ユニット６ｂをピンなどで順次着脱自在に連結して一連の橇部材６に形成されるようにしてある。
図の例では橇部材６のベース部材６ａは、可動アーム９の先端に取付けた切断機構５の支持フレーム１６の両端に連結するようにしてあるが、可動アーム９に連結してもよい。
【０１８】
橇部材６の横巾が広い場合は、図１のように、ベース部材６ａ及びこれに連結される橇ユニット６ｂを左右２列に形成してもよい。
【０１９】
次に、本発明の樹木移植装置の使用例を説明する。
先ず、移植の前作業として、図７と同様に、移植しようとする樹木の根廻りに所定面積の土を残して所定の深さに掘り割り、前側に搬出路を形成するとともに、樹木根廻りの土塊に崩れ防止の養生をする。
【０２０】
次いで、切断機構５をヒンジで開放し、あるいは切断機構５を取り外した可動アーム９、９を前方へ向けて、左右一対の伸縮アーム３、３の各ベースアーム８の取付部材７を重機２の左右側部フレーム２ａ、２ｂに結合する。
【０２１】
次に、重機を走行させ、伸縮アーム３、３を樹木根廻りの左右掘り割り２５に向け、アウトリガー４で水平に位置設定し、伸縮アーム３、３の可動アーム９、９を油圧シリンダ１０で伸長させ、その先端を、樹木根廻り土塊２４の先まで延長させた後、可動アーム９、９間に切断機構５を取付ける。この場合、切断機構５がヒンジピン２２で連結されている場合は切断機構５を回動させ、自由端側を他方の可動アーム９先端に固定するだけで切断機構５が左右伸縮アーム３、３の先端にセットされる。
【０２２】
次に、可動アーム９、９の先端間に架設した切断機構５の先端ブラケット１２に橇部材６のベース部材６ａを結合し、このベース部材６ａにいくつかの橇ユニット６ｂを連結する。
【０２３】
この状態で切断機構５のチェーンソー１８を作動させながら可動アーム９、９を短縮させることにより、樹木根廻り土塊２４下部が切断される。橇ユニット６ｂを順次連結しながら、上記の作業を続行することにより、可動アーム９、９が根廻り土塊２４の前端まで引き戻されると樹木根廻り土塊２４が樹木とともに切り離され、同時に橇部材６が根廻り土塊２４の下に敷設される。
【０２４】
この状態で重機２を走行することにより、樹木根廻り土塊２４は橇部材６に載った状態で伸縮アーム３、３とともにそのまま移植地に移送することができる。
【０２５】
【発明の効果】
本発明の樹木移植装置は、伸縮アームが自走式の重機に一体結合され、切断後はそのまま重機で搬送することができる。従って、切断した樹木根廻り土塊を別の牽引車に移し換える必要がなくなるので作業能率が向上するとともに、移し換えや搬送に伴う土塊の地割れ、空気接触が抑制されるので移植後の樹木の生育が著しく良好である。
【図面の簡単な説明】
【図１】本発明の実施例による樹木移植装置の平面図
【図２】本発明の実施例による樹木移植装置の側面図
【図３】本発明の実施例による樹木移植装置の背面図
【図４】樹木移植装置の部分拡大側面図
【図５】樹木移植装置の部分拡大平面図
【図６】図５の側面図
【図７】先に開発した樹木移植方法説明図
【図８】先に開発した樹木移植方法説明図
【符号の説明】
１…樹木移植装置
２…重機
２ａ、２ｂ…側部フレーム
３…伸縮アーム
４…アウトリガー
５…切断機構
６…橇部材
６ａ…ベース部材
６ｂ…橇ユニット
７…取付部材
８…ベースアーム
９…可動アーム
１０…油圧シリンダ
１１…結合ブラケット
１２…先端ブラケット
１３…支持枠
１４…油圧シリンダ
１５…支持脚
１６…支持フレーム
１７…スプール
１８…チェーンソー
１９…油圧モータ
２０、２１…ヒンジブラケット
２２…ヒンジピン
２３…樹木
２４…樹木根廻り土塊
２５…掘り割り
【整理番号】ＰＡＳ００２―０２２
【図１】
2004187507.tif 000003
【図２】
2004187507.tif 000004
【図３】
2004187507.tif 000005
【図４】
2004187507.tif 000006
【図５】
2004187507.tif 000007
【図６】
2004187507.tif 000008
【図７】
2004187507.tif 000009
【図８】
2004187507.tif 000010